(57)【要約】【課題】照明器具などの給電部に取り付けるだけで外観を容易に変更することができ、かつ、汎用性の高い照明用光源を提供する。【解決手段】照明用光源は、発光モジュール１０を備えるランプ本体１００と、ランプ本体１００の外方、かつ、発光モジュール１０の光出射面側に設けられたカバー１１０と、ランプ本体１００に対するカバー１１０の位置を調整するための、ランプ本体１００に設けられた凹部７１とを備える。【選択図】図４
2016152219.tif 000002
【特許請求の範囲】
【請求項１】
発光モジュールを備えるランプ本体と、
前記ランプ本体の外方、かつ、前記発光モジュールの光出射面側に設けられたカバーと、
前記ランプ本体に対する前記カバーの位置を調整するための、前記ランプ本体に設けられた凹部とを備える
照明用光源。
【請求項２】
前記ランプ本体は、
前記発光モジュールを保持する筐体と、
前記発光モジュールの光出射面側に設けられた透光性を有するグローブとを備え、
前記凹部は、前記グローブに設けられている
請求項１に記載の照明用光源。
【請求項３】
前記凹部は、前記光出射面を平面視した場合に、前記グローブの中央に設けられている
請求項２に記載の照明用光源。
【請求項４】
前記カバーは、前記凹部に挿入される凸部を有し、
前記凹部は、内側面に設けられた雌ねじ部を有し、
前記凸部は、前記雌ねじ部に螺合する雄ねじ部を有する
請求項２又は３に記載の照明用光源。
【請求項５】
前記凹部は、前記グローブを貫通している
請求項２〜４のいずれか１項に記載の照明用光源。
【請求項６】
前記凹部は、さらに、前記発光モジュールを貫通している
請求項５に記載の照明用光源。
【請求項７】
発光モジュールを備えるランプ本体と、
前記ランプ本体に対するカバーの位置を調整するための、前記ランプ本体に設けられた凹部とを備え、
前記カバーは、前記ランプ本体の外方、かつ、前記発光モジュールの光出射面側に設けられる
照明用光源。
【発明の詳細な説明】
【技術分野】
【０００１】
本発明は、照明用光源に関する。
【背景技術】
【０００２】
従来、発光ダイオード（ＬＥＤ：Ｌｉｇｈｔ  Ｅｍｉｔｔｉｎｇ  Ｄｉｏｄｅ）などの半導体発光素子は、小型、高効率及び長寿命であることから、様々な製品の光源として期待されている。
【０００３】
例えば、ＬＥＤは、電球形ＬＥＤランプ（ＬＥＤ電球）若しくは直管ＬＥＤランプなどの照明用光源、又は、シーリングライト若しくはダウンライトなどの天井に設置される照明器具などに用いられている。例えば、特許文献１には、従来のＬＥＤを用いた照明装置が開示されている。
【先行技術文献】
【特許文献】
【０００４】
【特許文献１】特開２０１４−１６５０２１号公報
【発明の概要】
【発明が解決しようとする課題】
【０００５】
ところで、近年、ダウンライトなどの外観を変更したいという要望がある。従来では、外観を変更するためには、照明器具の取り替えが必要となり、非常に煩雑な作業が必要となる。また、照明器具を取り替えずに、ランプのみを交換することが考えられる。しかしながら、この場合、使用可能なランプが既存の照明器具に適合可能なものに限られる。
【０００６】
そこで、本発明は、照明器具などの給電部に取り付けるだけで外観を容易に変更することができ、かつ、汎用性の高い照明用光源を提供することを目的とする。
【課題を解決するための手段】
【０００７】
上記目的を達成するため、本発明の一態様に係る照明用光源は、発光モジュールを備えるランプ本体と、前記ランプ本体の外方、かつ、前記発光モジュールの光出射面側に設けられたカバーと、前記ランプ本体に対する前記カバーの位置を調整するための、前記ランプ本体に設けられた凹部とを備える。
【０００８】
また、本発明の一態様に係る照明用光源は、発光モジュールを備えるランプ本体と、前記ランプ本体に対するカバーの位置を調整するための、前記ランプ本体に設けられた凹部とを備え、前記カバーは、前記ランプ本体の外方、かつ、前記発光モジュールの光出射面側に設けられる。
【発明の効果】
【０００９】
本発明によれば、照明器具などの給電部に取り付けるだけで外観を容易に変更することができ、かつ、汎用性の高い照明用光源を提供することができる。
【図面の簡単な説明】
【００１０】
【図１Ａ】実施の形態に係る電球形ランプの外観を示す斜視図である。
【図１Ｂ】実施の形態に係る電球形ランプの外観を示す斜視図である。
【図２】実施の形態に係る電球形ランプの分解斜視図である。
【図３】実施の形態に係る電球形ランプが取り付けられた照明器具の断面概要を示す図である。
【図４】実施の形態に係る電球形ランプの断面図である。
【図５】実施の形態の変形例１に係る電球形ランプの断面図である。
【図６】実施の形態の変形例２に係る電球形ランプの断面図である。
【発明を実施するための形態】
【００１１】
以下では、本発明の実施の形態に係る照明用光源について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。また、各図において、同じ構成部材については同じ符号を付している。また、以下の実施の形態において、略一致又は略円形などの表現を用いている。例えば、略一致は、完全に一致することを意味するだけでなく、実質的に一致する、すなわち、数％程度の誤差を含むことも意味する。他の「略」を用いた表現についても同様である。
【００１３】
以下の実施の形態及びその変形例では、照明用光源の一例として、電球形ランプ（ＬＥＤ電球）について説明する。
【００１４】
（実施の形態）
［概要］
まず、本実施の形態に係る電球形ランプ１及び電球形ランプ１が取り付けられる照明器具２００の概要について、図１Ａ〜図４を用いて説明する。
【００１５】
図１Ａ及び図１Ｂは、本実施の形態に係る電球形ランプ１の外観を示す斜視図である。具体的には、図１Ａは、電球形ランプ１を下方から見たときの斜視図である。図１Ｂは、電球形ランプ１を上方から見たときの斜視図である。
【００１６】
図２は、本実施の形態に係る電球形ランプ１の分解斜視図である。なお、図２において、紙面上下方向に沿って描かれた一点鎖線は、電球形ランプ１のランプ軸Ｊ（中心軸）を示している。ランプ軸Ｊとは、電球形ランプ１を照明器具のソケットに取り付ける際の回転中心となる軸である。本実施の形態では、ランプ軸Ｊは、筐体６０、口金８０及びカバー１１０の回転軸に一致する。
【００１７】
図３は、本実施の形態に係る電球形ランプ１が取り付けられた照明器具２００の断面概要を示す図である。図３においては、照明器具２００と電球形ランプ１との位置関係が分かりやすいように、照明器具２００を断面図で示し、電球形ランプ１を側面図で示している。
【００１８】
図４は、本実施の形態に係る電球形ランプ１の断面図である。具体的には、図４は、ランプ軸Ｊを通る断面（ＹＺ面）を示している。
【００１９】
なお、以下の説明において、「上」又は「上方」は、電球形ランプ１の口金８０側であり、「下」又は「下方」は、電球形ランプ１のカバー１１０側である。具体的には、図１Ａ及び図１Ｂに示すＺ軸正方向が上方であり、Ｚ軸負方向が下方である。
【００２０】
各図において、Ｚ軸方向は、ランプ軸Ｊに平行な方向である。Ｘ軸方向及びＹ軸方向は、ランプ軸Ｊに直交する面において、互いに直交する２つの方向である。
【００２１】
図１Ａ〜図３に示すように、電球形ランプ１は、ランプ本体１００と、カバー１１０とを備える。
【００２２】
ランプ本体１００は、電球形ランプ１の本体部である。図２に示すように、ランプ本体１００は、発光モジュール１０を備え、例えば、可視光（照明光）を出射する。また、電球形ランプ１は、ランプ本体１００に対するカバー１１０の位置（相対位置）を調整するための、ランプ本体１００に設けられた凹部７１を備える。
【００２３】
カバー１１０は、ランプ本体１００の外方、かつ、発光モジュール１０の光出射面側（具体的には、Ｚ軸負方向）に設けられている。ランプ本体１００から出射された光は、カバー１１０を透過して外部に放出される。また、カバー１１０は、電球形ランプ１の外観を規定する部材である。
【００２４】
電球形ランプ１は、ランプ本体１００に対するカバー１１０の位置を調整することができる。具体的には、電球形ランプ１は、ランプ軸Ｊ上における、発光モジュール１０（又は、ランプ本体１００の先端若しくは口金８０）とカバー１１０の光出射面との間の距離を変更することができる。これにより、電球形ランプ１は、ランプ本体１００とカバー１１０とを近付けた状態で、又は、遠ざけた状態で照明器具２００などに取り付けることができる。
【００２５】
なお、照明器具２００は、例えば、ダウンライトなどの埋込型照明器具である。図３に示すように、照明器具２００は、天井２１０に埋め込まれている。照明器具２００は、ソケット２０１と、器具本体２０２とを備える。
【００２６】
ソケット２０１は、商用電源などの外部電源に接続されている。ソケット２０１は、電球形ランプ１の口金８０がねじ入れられることで、口金８０と電気的及び機械的に接続する。これにより、電球形ランプ１は、ソケット２０１を介して外部から発光モジュール１０を点灯させるための電力を受けることができる。
【００２７】
器具本体２０２は、電球形ランプ１を収容するための空間を形成する。なお、器具本体２０２の深さ（具体的には、Ｚ軸方向の長さ）は、照明器具の種類によって様々に異なっている。
【００２８】
以下では、電球形ランプ１の構成要素について、図面を用いて詳細に説明する。
【００２９】
［ランプ本体］
ランプ本体１００は、図２に示すように、発光モジュール１０と、基台２０と、駆動回路３０と、筐体６０と、グローブ７０と、口金８０とを備える。なお、図示しないが、ランプ本体１００は、ヒートシンク及び回路ケースを備えてもよい。
【００３０】
発光モジュール１０は、所定の色（波長）の光を放出する発光装置である。本実施の形態に係る発光モジュール１０は、例えば、白色光を放出する。
【００３１】
発光モジュール１０は、グローブ７０の内方に配置されている。具体的には、発光モジュール１０は、基台２０に載置されており、駆動回路３０から供給される電力によって発光する。
【００３２】
図２に示すように、発光モジュール１０は、基板１１と、基板１１に実装された発光素子１２とを備える。本実施の形態では、発光モジュール１０は、基板１１とランプ軸Ｊとが交差するように配置されている。
【００３３】
基板１１は、発光素子１２を実装するための実装基板である。基板１１は、例えば、平面視において略円形の基板である。基板１１は、基台２０上に取り付けられている。基板１１としては、例えば、アルミニウムなどの金属の基材に絶縁被覆を施すことで形成されるメタルベース基板、アルミナなどのセラミック材料の焼結体であるセラミックス基板、又は、樹脂材料からなる樹脂基板などが用いられる。なお、基板１１の形状は、円形に限らず、矩形などでもよい。
【００３４】
発光素子１２は、基板１１の片面上に複数個実装されている。本実施の形態では、複数の発光素子１２が、基板１１の下面（Ｚ軸負方向の面）のランプ軸Ｊを中心とする円周上に平面配置されている。各発光素子１２は、主光出射方向を電球形ランプ１の前方（Ｚ軸負方向）に向けた姿勢で実装されている。
【００３５】
本実施の形態に係る発光素子１２は、表面実装（ＳＭＤ：Ｓｕｒｆａｃｅ  Ｍｏｕｎｔ  Ｄｅｖｉｃｅ）型ＬＥＤ素子である。図２に示すように、発光素子１２は、容器１２ａと、容器１２ａ内に配置されたＬＥＤチップ１２ｂと、ＬＥＤチップ１２ｂを封止する封止部材１２ｃとを備える。封止部材１２ｃは、ＬＥＤチップ１２ｂから発せられる光の波長を変換する波長変換材料を含んでいる。
【００３６】
本実施の形態では、ＬＥＤチップ１２ｂとして、例えば、青色光を発する青色ＬＥＤチップが用いられる。青色ＬＥＤチップとしては、例えばＩｎＧａＮ系の材料によって形成された、中心波長が４４０ｎｍ〜４７０ｎｍの窒化ガリウム系の発光素子が用いられる。この場合、封止部材１２ｃは、白色光を放出するために、例えば、ＹＡＧ（イットリウム・アルミニウム・ガーネット）系の黄色蛍光体粒子を波長変換材として含んでいる。
【００３７】
基台２０（モジュールプレート）は、発光モジュール１０を支持する支持部材（支持台）である。基台２０は、例えば、ランプ軸Ｊと直交する平面を有する略円板状の部材である。発光モジュール１０は、止め金具、ねじ又は接着剤などにより基台２０に固定されている。
【００３８】
基台２０は、発光モジュール１０（発光素子１２）で発生する熱を放熱させるための放熱部材（ヒートシンク）としても機能する。したがって、基台２０は、金属材料、又は、熱伝導率の高い樹脂材料によって形成されることが好ましい。これにより、発光モジュール１０で発生した熱を効率良く放出させることができる。基台２０は、例えば、アルミダイキャストによって成型される。
【００３９】
駆動回路３０は、発光モジュール１０を駆動するための回路ユニットである。本実施の形態に係る駆動回路３０は、発光モジュール１０（発光素子１２）を点灯（発光）させるための電力を発光モジュール１０に供給する点灯回路（電源回路）である。駆動回路３０は、口金８０から供給される交流電力を直流電圧に変換し、発光モジュール１０に供給する。駆動回路３０は、図示しないリード線などによって、発光モジュール１０及び口金８０の各々と電気的に接続されている。
【００４０】
駆動回路３０は、例えば、回路ケース（図示せず）に収納されている。例えば、駆動回路３０は、ネジ止め、接着又は係合などによって回路ケースに固定されている。
【００４１】
筐体６０は、電球形ランプ１の外郭筐体である。筐体６０の外側面は、ランプ外部（大気中）に露出している。筐体６０は、駆動回路３０の周囲を囲むように配置された筒体である。筐体６０の一方の端部（Ｚ軸負方向の端部）には、グローブ７０が接続され、他方の端部（Ｚ軸正方向の端部）には、口金８０が接続されている。
【００４２】
筐体６０は、発光モジュール１０を保持する。本実施の形態では、筐体６０は、基台２０を介して発光モジュール１０を保持する。
【００４３】
筐体６０は、絶縁性を有する。筐体６０は、例えば、ポリブチレンテレフタレート（ＰＢＴ）などの絶縁性樹脂材料を用いて形成される。筐体６０が、駆動回路３０を囲むことで、電球形ランプ１の絶縁性を向上させることができる。
【００４４】
グローブ７０は、発光モジュール１０の光出射面側に設けられた透光性を有するカバーである。グローブ７０は、発光モジュール１０から放出される光をランプ外部に取り出すように形成されている。つまり、グローブ７０の内面に入射した発光モジュール１０から放出される光は、グローブ７０を透過してグローブ７０の外部へと取り出される。
【００４５】
グローブ７０は、例えば、筐体６０の端部に嵌め入れられている。あるいは、グローブ７０は、接着剤などを用いて筐体６０の端部に接着されていてもよい。
【００４６】
グローブ７０は、例えば、ランプ軸Ｊを中心とする中空の回転体である。本実施の形態では、グローブ７０は、略半球体であるが、これに限らない。グローブ７０は、扁平な回転楕円体などのいかなる形状でもよい。
【００４７】
グローブ７０は、例えば、シリカガラスなどのガラス材料、又は、アクリル（ＰＭＭＡ）若しくはポリカーボネート（ＰＣ）などの樹脂材料から形成される。なお、グローブ７０には、発光モジュール１０から放出される光を拡散させるための拡散処理が施されていてもよい。
【００４８】
本実施の形態では、グローブ７０には、凹部７１が設けられている。凹部７１の詳細については、図４を用いて後で説明する。
【００４９】
口金８０は、発光モジュール１０（発光素子１２）を発光させるための電力をランプ外部から受電する受電部である。口金８０は、例えば、照明器具２００のソケット２０１に取り付けられる。これにより、口金８０は、電球形ランプ１を点灯させる際に、照明器具２００のソケット２０１から電力を受けることができる。
【００５０】
口金８０は、金属製の有底筒体である。本実施の形態では、口金８０は、ねじ込み式のエジソンタイプ（Ｅ型）の口金である。例えば、口金８０として、Ｅ２６形、Ｅ１７形又はＥ１６形などを用いることができる。また、口金８０として、差し込み式の口金を用いてもよい。
【００５１】
［カバー］
カバー１１０は、図１Ａ〜図４に示すように、凸部１１１と、板状部１１３とを有する。
【００５２】
凸部１１１は、ランプ本体１００の凹部７１に挿入される部分である。本実施の形態では、凸部１１１の形状は、筒状であるが、これに限らない。凸部１１１は、柱状でもよい。具体的には、凸部１１１は、ランプ軸Ｊを中心とする円筒部である。凸部１１１の外径は、凹部７１の内径に略一致する。凸部１１１は、板状部１１３の略中央から立設されている。
【００５３】
図４に示すように、凸部１１１は、雌ねじ部７２に螺合する雄ねじ部１１２を有する。雄ねじ部１１２は、凸部１１１の外側面に設けられている。
【００５４】
板状部１１３は、カバー１１０の光出射面に相当する部分である。板状部１１３は、透光性を有する。つまり、ランプ本体１００から出射された光は、板状部１１３を透過して外部に放出される。
【００５５】
板状部１１３は、ランプ軸Ｊを中心としてランプ軸Ｊに略直交する略円板である。具体的は、板状部１１３は、図４に示すように、中央部及び端部の厚みが薄く、中央部と端部との間の厚みは厚くなっている。
【００５６】
板状部１１３は、図３に示すように、電球形ランプ１を照明器具２００に取り付けた場合に、天井２１０より下方に位置し、ユーザが視認可能な部分である。つまり、板状部１１３は、電球形ランプ１の外観を規定する部分である。したがって、板状部１１３の形状を異ならせることにより、電球形ランプ１の外観を変更することができる。
【００５７】
カバー１１０は、例えば、透光性を有する樹脂材料から形成される。樹脂材料としては、アクリル（ＰＭＭＡ）又はポリカーボネート（ＰＣ）などを利用することができる。カバー１１０は、例えば、樹脂材料を用いた射出成形などにより一体に形成される。なお、カバー１１０は、シリカガラスなどのガラス材料から形成されてもよい。
【００５８】
また、カバー１１０は、複数の部品を組み合わせて形成されてもよい。例えば、凸部１１１と板状部１１３とは別体であり、これらを組み合わせることでカバー１１０が形成されてもよい。例えば、長さの異なる凸部１１１を用いることで、ランプ本体１００に対するカバー１１０の位置の調整幅をより大きくすることができる。
【００５９】
［凹部］
凹部７１は、ランプ本体１００に対するカバー１１０の位置を調整するために用いられる。凹部７１は、ランプ本体１００の外側面から内方に向かって凹んでいる。本実施の形態では、凹部７１は、グローブ７０に設けられている。具体的には、凹部７１は、光出射面を平面視した場合（すなわち、Ｚ軸方向に見た場合）、グローブ７０の中央に設けられている。つまり、凹部７１は、ランプ軸Ｊが中心を通るように設けられている。
【００６０】
図４に示すように、凹部７１は、内側面に設けられた雌ねじ部７２を有する。凹部７１には、カバー１１０の凸部１１１が挿入される。つまり、凹部７１は、グローブ７０内の空間であって、カバー１１０の凸部１１１が挿入される空間である。
【００６１】
凹部７１に凸部１１１が挿入される場合、凹部７１に設けられた雌ねじ部７２と、凸部１１１に設けられた雄ねじ部１１２とが螺合する。凹部７１に対する凸部１１１の挿入量を調整することで、ランプ本体１００に対するカバー１１０の位置を調整することができる。
【００６２】
［効果など］
以上のように、本実施の形態に係る電球形ランプ１は、発光モジュール１０を備えるランプ本体１００と、ランプ本体１００の外方、かつ、発光モジュール１０の光出射面側に設けられたカバー１１０と、ランプ本体１００に対するカバー１１０の位置を調整するための、ランプ本体１００に設けられた凹部７１とを備える。
【００６３】
これにより、ランプ本体１００に対するカバー１１０の位置を変更することができるので、深さが異なる照明器具にも電球形ランプ１を適用することができる。したがって、本実施の形態に係る電球形ランプ１によれば、汎用性を高めることができる。例えば、照明器具を取り替えなくても、既存の照明器具に電球形ランプ１を適用させることができるので、外観を容易に変更することができる。つまり、電球形ランプ１を変更するだけで、あるいは、カバー１１０を変更するだけで、ダウンライトなどの照明器具の外観を変更することができる。
【００６４】
また、例えば、ランプ本体１００は、発光モジュール１０を保持する筐体６０と、発光モジュール１０の光出射面側に設けられた透光性を有するグローブ７０とを備え、凹部７１は、グローブ７０に設けられている。
【００６５】
これにより、凹部７１がグローブ７０に形成されているので、発光モジュール１０及び筐体６０としては、既存のランプと同じものを利用することができる。グローブ７０は、内部が中空である。このため、グローブ７０に凹部７１を設けた場合に、発光モジュール１０及び駆動回路３０などの配置を変更する必要がない。したがって、従来のランプのグローブのみを本実施の形態に係るグローブ７０に変更することで、カバー１１０の取り付けが可能となる。よって、汎用性をより高めることができる。
【００６６】
また、例えば、凹部７１は、光出射面を平面視した場合に、グローブ７０の中央に設けられている。
【００６７】
これにより、ランプ本体１００を点灯させたときに、凹部７１を目立たなくすることができる。例えば、グローブ７０の中央は光量が最も多い部分であるので、凹部７１によって光が一部吸収又は散乱されたとしても目立たない。
【００６８】
また、例えば、カバー１１０は、凹部７１に挿入される凸部１１１を有し、凹部７１は、内側面に設けられた雌ねじ部７２を有し、凸部１１１は、雌ねじ部７２に螺合する雄ねじ部１１２を有する。
【００６９】
これにより、ランプ本体１００に対するカバー１１０の位置を任意の位置に固定させることができる。また、雄ねじ部１１２と雌ねじ部７２とが螺合するので、使用中の振動などにより、カバー１１０がずり落ちるのを抑制することができる。
【００７０】
（変形例１）
以下では、実施の形態の変形例１について、図５を用いて説明する。図５は、本変形例に係る電球形ランプ２の断面図である。具体的には、図５は、ランプ軸Ｊを通る断面（ＹＺ面）を示している。
【００７１】
上記の実施の形態では、ランプ本体１００に設けられた凹部７１にカバー１１０をねじ入れることにより、ランプ本体１００に対するカバー１１０の位置を変更する例について説明した。本変形例に係る電球形ランプ２では、ランプ本体３００に設けられた凹部３７１にカバー３１０を押し込む例について説明する。
【００７２】
本変形例に係る電球形ランプ２は、図５に示すように、ランプ本体３００と、カバー３１０とを備える。
【００７３】
ランプ本体３００は、実施の形態に係るランプ本体１００と比較して、グローブ７０の代わりにグローブ３７０を備える。また、ランプ本体３００には、凹部７１の代わりに凹部３７１が設けられている。その他の構成については、実施の形態と同様である。
【００７４】
凹部３７１は、グローブ７０内の空間であって、カバー３１０の凸部３１１が挿入される空間である。具体的には、凹部３７１は、凸部３１１を最深まで挿入したときに凸部３１１によって占められるランプ本体３００内の空間である。つまり、凹部３７１は、凸部３１１が挿入可能なランプ本体３００内の空間である。
【００７５】
凹部３７１は、グローブ３７０を貫通している。つまり、グローブ３７０には、貫通孔３７２が設けられている。カバー３１０の凸部３１１は、貫通孔３７２に挿入される。
【００７６】
貫通孔３７２は、例えば、追加工により簡単に形成することができる。具体的には、略半球状のグローブ３７０を形成した後、ドリル又は錐などの穴を開ける工具を用いて貫通孔３７２を形成することができる。
【００７７】
カバー３１０は、凸部１１１の代わりに凸部３１１を備える。凸部３１１には、雄ねじ部１１２の代わりに凹凸部３１２が設けられている。
【００７８】
凹凸部３１２は、凸部３１１の外側面に設けられている。具体的には、凹凸部３１２は、断面形状が三角形の複数の凸部３１２ａが繰り返し連続的に設けられることで形成される。凸部３１１が貫通孔３７２に挿入された場合に、凹凸部３１２の凸部３１２ａがグローブ３７０に係止する。
【００７９】
凸部３１２ａは、例えば、一辺を共有する第１斜面３１２ｂ及び第２斜面３１２ｃを有する。第１斜面３１２ｂは、上面側（すなわち、発光モジュール１０側）の斜面である。第２斜面３１２ｃは、下面側（すなわち、板状部１１３側）の斜面である。
【００８０】
第１斜面３１２ｂ及び第２斜面３１２ｃの各々の傾斜は、互いに異なっている。具体的には、第１斜面３１２ｂの傾斜は、第２斜面３１２ｃの傾斜より緩やかである。これにより、第１斜面３１２ｂの傾斜が緩やかであるので、凸部３１１を貫通孔３７２に容易に挿入することができる。また、第２斜面３１２ｃの傾斜が急であるので、貫通孔３７２に挿入された凸部３１１が貫通孔３７２から抜けるのを抑制することができる。すなわち、カバー３１０の落下を抑制することができる。
【００８１】
本変形例では、カバー３１０の凸部３１１をグローブ３７０の貫通孔３７２に押し込むことで、カバー３１０をランプ本体３００に取り付けることができる。具体的には、第１斜面３１２ｂが貫通孔３７２の壁面に接触することで押圧されるので、凹凸部３１２は、内方に押圧される。当該押圧によって凸部３１１（又はグローブ３７０）が弾性変形し、凹凸部３１２は、複数の凸部３１２ａの１つずつが貫通孔３７２を越えていくことができる。凸部３１１を押しこむ力を加えるのを止めた場合、力を加えるのを止めた位置で、凹凸部３１２がグローブ３７０に係止するので、カバー３１０を固定することができる。
【００８２】
以上のように、ねじ部ではなく、凹凸部が設けられている場合であっても、ランプ本体３００に対するカバー３１０の位置を変更することができる。
【００８３】
（変形例２）
次に、実施の形態の変形例２について、図６を用いて説明する。図６は、本変形例に係る電球形ランプ３の断面図である。具体的には、図６は、ランプ軸Ｊを通る断面（ＹＺ面）を示している。
【００８４】
上記の実施の形態では、凹部７１がグローブ７０に設けられている例について説明した。本変形例に係る電球形ランプ３では、ランプ本体４００に設けられた凹部４７１は、グローブ４７０と、発光モジュール４１０とを貫通している。
【００８５】
本変形例に係る電球形ランプ３は、図６に示すように、ランプ本体４００と、カバー５１０とを備える。
【００８６】
ランプ本体４００は、実施の形態に係るランプ本体１００と比較して、発光モジュール１０、基台２０及びグローブ７０の代わりに、発光モジュール４１０、基台４２０及びグローブ４７０を備える。また、ランプ本体４００には、凹部４７１が設けられている。その他の構成については、実施の形態と同様である。
【００８７】
凹部４７１は、ランプ本体４００内の空間であって、カバー５１０の凸部５１１が挿入される空間である。具体的には、凹部４７１は、凸部５１１を最深まで挿入したときに凸部５１１によって占められるランプ本体４００内の空間である。つまり、凹部４７１は、凸部５１１が挿入可能なランプ本体４００内の空間である。
【００８８】
凹部４７１は、グローブ４７０と、発光モジュール４１０と、基台４２０とを順に貫通している。つまり、グローブ４７０、発光モジュール４１０及び基台４２０の各々には、貫通孔が設けられている。カバー５１０の凸部５１１は、これらの貫通孔に順に挿入される。
【００８９】
貫通孔４７２は、グローブ４７０に設けられている。本変形例では、貫通孔４７２の壁面には、雌ねじ部７２が設けられている。なお、貫通孔４７２は、変形例１に係る貫通孔３７２と同じでもよい。
【００９０】
貫通孔４１３は、発光モジュール４１０の基板に設けられている。貫通孔４２１は、基台４２０に設けられている。貫通孔４７２、貫通孔４１３及び貫通孔４２１は、光出射側から見た場合において、重なるように形成されている。具体的には、貫通孔４７２、貫通孔４１３及び貫通孔４２１は、各々の中心をランプ軸Ｊが通るように設けられている。
【００９１】
カバー５１０は、凸部１１１の代わりに凸部５１１を備える。凸部５１１の外側面には、雌ねじ部７２に螺合する雄ねじ部１１２が設けられている。凸部５１１は、凸部１１１より突出している。すなわち、凸部５１１は、凸部１１１より突出方向（Ｚ軸方向）における長さ（高さ）が長い。
【００９２】
凸部５１１の長さ（高さ）及び凹部４７１の長さ（深さ）は、ランプ本体４００に対するカバー５１０の位置の調整幅に関わる。つまり、凸部５１１が高く、かつ、凹部４７１が深い程、ランプ本体４００に対するカバー５１０の位置の調整幅を大きくすることができる。つまり、ランプ本体４００に対して、カバー５１０をより遠い位置に設けることができる。
【００９３】
以上のように、本変形例に係る電球形ランプ３では、凹部４７１がグローブ４７０だけでなく、発光モジュール４１０を貫通している。
【００９４】
これにより、ランプ本体４００に対するカバー５１０の位置の調整幅を大きくすることができる。したがって、本変形例に係る電球形ランプ３をより様々な種類の照明器具に適用することができるので、汎用性をさらに高めることができる。
【００９５】
なお、凹部４７１は、口金８０に達するまで貫通していてもよい。言い換えると、凸部５１１は、先端がランプ本体４００の口金８０に至るまで挿入可能であってもよい。このとき、駆動回路３０の回路基板にも貫通孔が設けられていてもよい。あるいは、駆動回路３０は、凹部４７１とは異なる領域に配置されてもよい。例えば、駆動回路３０は、ランプ軸Ｊと交差しないように配置されてもよい。
【００９６】
（その他）
以上、本発明に係る照明用光源について、上記実施の形態及びその変形例に基づいて説明したが、本発明は、上記の実施の形態に限定されるものではない。
【００９７】
例えば、上記の実施の形態では、ランプ軸Ｊを通るように凹部７１をグローブ７０に設けたが、これに限らない。凹部７１は、グローブ７０のランプ軸Ｊからずれた位置に設けられてもよい。あるいは、凹部７１は、グローブ７０ではなく、筐体６０に設けられてもよい。また、ランプ本体１００は、グローブ７０を備えていなくてもよい。したがって、この場合、凹部７１は、例えば、発光モジュール１０又は基台２０などに設けられてもよい。
【００９８】
また、例えば、上記の実施の形態の変形例１では、カバー３１０の凸部３１１に凹凸部３１２を設ける例について示したが、このとき、グローブ３７０には、凹凸部３１２に嵌合する凹凸部が設けられていてもよい。
【００９９】
また、例えば、上記の実施の形態及び変形例では、カバーの凸部に雄ねじ部１１２又は凹凸部３１２を設ける例について示したが、これに限らない。カバーの凸部は、フック状の爪部などを有してもよい。例えば、当該フック状の爪部を、グローブ４７０に設けた貫通孔４７２、又は、基台３２０に設けた貫通孔３２１に引っ掛けることで、ランプ本体に対するカバーの位置を調整することもできる。
【０１００】
また、例えば、上記の実施の形態では、カバー１１０が透光性を有する例について示したが、これに限らない。カバー１１０は、遮光性を有するカバーでもよい。例えば、カバー１１０は、遮光性を有する円筒体、円錐台状筒体などでもよい。つまり、ランプ本体１００が出射する光は、カバー１１０を透過するのではなく、筒内を通過して外部に放射されてもよい。
【０１０１】
このように、カバー１１０の形状、大きさ、材質などは、上記の実施の形態で示した例に限定されない。また、例えば、電球形ランプ１は、カバー１１０を備えなくてもよい。
【０１０２】
また、例えば、上記の実施の形態では、発光素子１２がＳＭＤ型ＬＥＤ素子である例について示したが、これに限らない。例えば、発光モジュール１０は、ベアチップが基板１１上に直接実装されたＣＯＢ（Ｃｈｉｐ  Ｏｎ  Ｂｏａｒｄ）型の発光モジュールでもよい。つまり、発光素子１２として、ＬＥＤチップそのものが採用されてもよい。この場合、封止部材によって、複数のＬＥＤチップを一括又は個別に封止してもよい。封止部材には、上述のように黄色蛍光体などの波長変換材が含有されてもよい。
【０１０３】
また、例えば、上記の実施の形態において、発光素子１２の一例としてＬＥＤを示したが、これに限らない。発光素子１２は、半導体レーザなどの半導体発光素子、有機ＥＬ（Ｅｌｅｃｔｒｏ  Ｌｕｍｉｎｅｓｃｅｎｃｅ）又は無機ＥＬなどの固体発光素子を用いてもよい。
【０１０４】
また、例えば、上記の実施の形態では、照明器具２００の一例としてダウンライトを示し、照明用光源の一例として、口金８０を備える電球形ランプ１を示したが、これに限らない。例えば、照明用光源は、直管形ランプでもよい。あるいは、照明用光源は、天井に設けられた引掛シーリングボディ（シーリングライト用の給電部）の照明用電力供給部に取付可能なランプでもよい。この場合、照明用光源は、口金８０の代わりに、引掛シーリングボディにシーリングライトを取り付けるためのアダプタと同様の構造を有する受電部を備えていればよい。また、照明器具２００は、ペンダント型の照明器具（ペンダントライト）、卓上ライトなど、その他の照明器具でもよい。
【０１０５】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１０６】
１、２、３  電球形ランプ
１０、４１０  発光モジュール
６０  筐体
７０、３７０、４７０  グローブ
７１、３７１、４７１  凹部
７２  雌ねじ部
１００、３００、４００  ランプ本体
１１０、３１０、５１０  カバー
１１１、３１１、５１１  凸部
１１２  雄ねじ部
【図１Ａ】
2016152219.tif 000003
【図１Ｂ】
2016152219.tif 000004
【図２】
2016152219.tif 000005
【図３】
2016152219.tif 000006
【図４】
2016152219.tif 000007
【図５】
2016152219.tif 000008
【図６】
2016152219.tif 000009